【事件の表示】
　特許第３１５８５５４号「蒸着ポリエステルフイルム」の請求項１ないし５に係る特許に対する特許異議の申立てについて、次のとおり決定する。
【結　論】
　特許第３１５８５５４号の請求項１、４、５に係る特許を取り消す。
　同請求項２、３に係る特許を維持する。
【理　由】
１．手続の経緯
　特許第３１５８５５４号の請求項１〜５に係る発明は、平成３年１０月２２日に特許出願され、平成１３年２月１６日にその特許の設定登録がなされたものである。
　これに対して、凸版印刷株式会社より特許異議の申立てがなされ、取消理由通知がなされ、その指定期間内に意見書が提出されたものである。
２．本件発明
  本件の請求項１〜５に係る発明は、特許明細書及び図面の記載からみて、特許請求の範囲の請求項１〜５に記載された次のとおりのものである（以下、「本件発明１〜５」という）。
「【請求項１】ポリエステルフイルムの少なくとも片面に、ポリウレタン樹脂とエポキシ基含有シランカップリング剤加水分解物とを主成分とする混合物より形成された塗膜層を設け、さらにその上に蒸着層を設けてなることを特徴とする蒸着ポリエステルフイルム。
【請求項２】ポリウレタン樹脂が水性ポリウレタン樹脂であることを特徴とする請求項１に記載の蒸着ポリエステルフイルム。
【請求項３】ポリウレタン樹脂がブロックドイソシアネート基を含有する組成物であることを特徴とする請求項１または２に記載の蒸着ポリエステルフイルム。
【請求項４】ポリウレタン樹脂（Ａ）とエポキシ基含有化合物（Ｂ）との混合重量比率（Ａ）／（Ｂ）が１０００／１〜１／９９であることを特徴とする請求項１〜３のいずれかに記載の蒸着ポリエステルフイルム。
【請求項５】塗膜層が結晶配向完了前のポリエステルフイルムに塗布され、塗布、乾燥後少なくとも１方向に延伸、熱処理が施された層であることを特徴とする請求項１〜４のいずれかに記載の蒸着ポリエステルフイルム。」
３．引用刊行物
 先の取消理由通知において引用された刊行物１〜６には次の事項が記載されている。
（１）刊行物１：特公昭５８−１１９１２号公報（申立人の提出した甲第１号証）
（ａ）「分子量・・・のポリエステルグリコール、ポリエステルポリウレタンポリオール又はそれらの混合物（Ａ）、シランカップリング剤（Ｂ）および有機ポリイソシアネート（Ｃ）を含有してなり、イソシアネート基（ＮＣＯ）と活性水素（Ｈ）の当量比（ＮＣＯ／Ｈ）が１〜１０であるプラスチック金属箔複合包装材用接着剤組成物。」（特許請求の範囲第１項）
（ｂ）「本発明者らは、これ等の欠点を解決すべく種々検討した結果、・・・組成物がプラスチック金属箔複合包装材用接着剤として、特に高温熱水減菌工程においても、また、たとえば食品等を充填したままの長期保存中においても、接着強度が低下せず、・・・その他食品耐性の点でも優れたものであることを知り、さらに研究を重ねて本発明を完成するに至った。」（第１頁第２欄第１０〜２０行）、
（ｃ）「ここで使用されるポリエステルグリコールは、前述の二塩基酸とグリコール類とを反応させて得られた両末端に水酸基を有する線状ポリエステルで、その分子量が５００〜１０，０００、特に５００〜３，０００のものが好適に用いられる。」（第２頁第３欄第２９〜３３行）
（ｄ）「本発明で使用するシランカップリング剤（Ｂ）は、構造式Ｒ−Ｓｉ≡（Ｘ）３またはＲ−Ｓｉ≡（Ｒ’）（Ｘ）２（Ｂ（原文のまま）は・・・エポキシ基、・・・を表わし、Ｒ’は低級アルキル基を表わし、Ｘはメトキシ基・・・を表わす。）で示されるものならどれでもよく、たとえば、・・・、γ−グリシドキシプロピルトリメトキシシラン・・・などのエポキシシラン、・・・等があげられる。シランカップリング剤は特に金属箔との接着強度を上げると共に食品耐性を向上させるに役立つ。」（第２頁第４欄第３２行〜第３頁第５欄６行）
（ｅ）「シランカップリング剤の添加方法は、ウレタン化反応の始めにポリエステルグリコールと混ぜて反応してもよく、またウレタン化反応中あるいは反応後に添加してもよい。」（第３頁第５欄第７〜１０行）
（ｆ）「シランカップリング剤の成分（Ａ）に対する添加割合は、０．０５〜３０重量％好ましくは０．１〜１０％である。」（第３頁第５欄第１０〜１２行）
（ｇ）「有機ポリイソシアネートとしては、たとえば、前述の成分（Ａ）の原料として用いられた有機ジイソシアネートを含むポリイソシアネートモノマーおよびこれらポリイソシアネートモノマーと、たとえば同じく（Ａ）の原料として用いられる低分子ポリオールとの反応により得られるポリウレタンイソシアネートなどがあげられる。」（第３頁第５欄第１９〜２５行）
（ｈ）「本発明の接着剤組成物は、後で述べる試験例から明らかな如く、アルミ箔の如き金属箔と・・・ポリエチレンテレフタレートなどのプラスチックフィルムの間に、極めてすぐれた接着強度、耐熱性、耐熱水性を有し、包装材に食品を充填して密封した状態で、熱水滅菌処理しても、金属箔とプラスチックフィルムの間が剥離することのない耐食品性の良好な、しかも食品の長期保存安定性も良好な包装料を与える。」（第３頁第６欄第１４〜２３行）
（２）刊行物２：特公昭６１−４８６４号公報（申立人の提出した甲第２号証）
（ａ）「有機ポリイソシアネート、ポリオール、リンの酸素酸またはその誘導体、エポキシ樹脂およびシランカップリング剤を含有してなるポリウレタン接着剤用組成物。」（特許請求の範囲第１項）
（ｂ）「本発明に用いられる有機ポリイソシアネートとしては、・・・脂肪族ジイソシアネート、・・・脂環族ジイソシアネート、・・・芳香脂肪族ジイソシアネート、・・・有機トリイソシアネート、・・・有機テトライソシアネートなどのポリイソシアネート単量体、・・・たとえばエチレングリコール・・・などの分子量２００未満の低分子量ポリオールとの付加体あるいはたとえば後述する分子量が約２００〜１００００のポリエステルポリオール・・・などの付加体などがあげられる。」（第２頁第３欄第８行〜第４欄第２２行）
（ｃ）「本発明に用いられるポリオールとしては、官能基数が約２〜６、・・・分子量が約２００〜１００００、・・・の化合物があげられる。更に詳しくは、ポリエステルポリオール、ポリエーテルポリオール、ポリエーテルエステルポリオール、・・・があげられる。」（第２頁第４欄第２３〜３１行）
（ｄ）「本発明のポリウレタン接着剤用組成物は、・・・目的に応じて一液型あるいは二液型として使用することができる。」（第４頁第７欄第６〜１１行）
（ｅ）「このようにして得られる組成物の接着剤としての性能をさらにあげるため、シランカップリング剤を添加する。シランカップリング剤としては、構造式Ｒ−Ｓｉ≡（Ｘ）３またはＲ−Ｓｉ≡（Ｒ）’（Ｘ）２（式中、Ｒは・・・エポキシ基、・・・を表わす。）で示されるものならいずれでもよく、たとえば、・・・、γ−グリシドキシプロピルトリメトキシシランなどのエポキシシラン、・・・などがあげられる。」（第４頁第８欄第４〜１９行）
（ｆ）「シランカップリング剤の添加量は全接着剤組成物に対して０．１〜５重量パーセント程度が好ましい。」（第４頁第８欄第１９〜２１行）
（ｇ）「本発明のポリウレタン接着剤用組成物は、たとえば食品包装材用の接着剤としてアルミ箔のような金属箔と・・・ポリエチレンテレフタレートなどのプラスチックフィルムの間に極めてすぐれた接着強度、耐熱性、耐熱水性を示し、包装材に食品を充填して密封した状態で、１２０℃以上で高温熱水滅菌処理しても金属箔とプラスチックフィルムとの間が剥離することのない耐食品性の良好な、しかも食品の長期保存安定性も良好な包装材として有利に用いられる。」（第５頁第９欄第２１〜３１行）
（３）刊行物３：特公平２−２４８７３号公報（申立人の提出した甲第３号証）
（ａ）「・・・ポリエチレンテレフタレート・・・等のプラスチックフィルム、・・・アルミニウム等の金属箔や薄板を、二層または三層以上にポリウレタン樹脂接着剤により貼合した複合フィルムが食品、薬品等の包装材、・・・に広く用いられている。食品包装材としては、複合フィルムの袋に食品を充填後、真空包装された後、長期保存に耐えるため１００〜１３５℃の高温で殺菌されるいわゆるレトルト用途が最近多くなっている。この場合、高温殺菌工程での接着力低下がしばしば問題となる。・・・本発明者らは、これらの欠点を改良することを目的に種々検討を重ねた結果、分子中に−ＮＣＯ基を有するシランカップリング剤を用いることにより複合ラミネート用ポリウレタン樹脂接着剤の接着性、耐薬品性、耐熱性を改良できることを見出し、本発明に至ったものである。」（第１頁第２欄４行〜第２頁第３欄２９行）
（ｂ）「本発明は、分子中に−ＯＨ基を２個以上有するポリオール（・・・）と分子中に−ＮＣＯ基を有する特定のシランカップリング剤（・・・）、およびポリイソシアネート化合物（・・・）よりなり、・・・３成分を特定の割合で配合した複合ラミネート用接着剤組成物に関するものである。」（第２頁第３欄第３１〜３８行）
（ｃ）「本発明において用いられるポリオールＡとしては、ポリエーテルポリオール、ポリエステルポリオール、ポリエーテルウレタンポリオール、ポリエステルウレタンポリオールがある。ポリエーテルポリオールとしては、エチレンオキサイド、プロピレンオキサイドの単独付加重合物、・・・ポリアルキレンポリオール、・・・が用いられる。ポリエステルポリオールとしては、・・・二塩基酸、・・・グリコール類の一種もしくは二種以上とを反応させて得られる両末端に−ＯＨ基を有する線状ポリエステルグルコール・・・が用いられる。・・・なお、ここでのウレタン化反応に用いられるポリイソシアネートとしては、トリレンジイソシアネート、・・・へキサメチレンジイソシアネート・・・等があげられる。・・・ポリイソシアネート化合物Ｃとしては、前述のポリオールＡに含まれるポリエーテルウレタンポリオール、またはポリエステルウレタンポリオールの原料に用いられたポリイソシアネートモノマー・・・が用いられる。」（第２頁第３欄３９行〜第３頁第５欄３１行）
（ｄ）第５〜６頁第４表の比較例４−２には、スミタックＧＡ−７３０（ポリエスてルウレタンポリオール（樹脂分５０％））９０ｇとスミタック−ＧＡ７３０Ｈ（原文のまま）（イソシアネート樹脂（樹脂分７５％））１０ｇに、γ−グリシドオキシプロピルトリメトキシシラン３ｇを配合し、この接着剤組成物を用いて４０μポリエチレンフィルム／１５μアルミ箔／２０ＰＥＴフィルムを接着して、煮沸３時間後接着強さが７５０ｇ／１５ｍｍ巾の複合ラミネートを得ることが記載されている。
（４）刊行物４：特開昭６１−１０３９６６号公報（申立人の提出した甲第４号証）
（ａ）「（イ）基材上に・・・アクリルポリオールと多官能有機イソシアネート化合物からなるプライマー組成物を塗布し、・・・（ロ）前記プライマー組成物を加熱および／または乾燥することにより硬化し、（ハ）前記硬化プライマー層上に・・・有機ケイ素化合物および／またはその加水分解物からなるコーテイング組成物を被覆硬化する（ここで、・・・エポキシ基・・であり、・・・）ことを特徴とする複合膜の製造方法。」（特許請求の範囲第１項）
（ｂ）「本発明は・・・、耐熱水性、・・・耐熱性・・・などのすぐれた複合膜の製造方法に関する。」（第１頁右欄第１２〜１５行）
（ｃ）「これらの有機ケイ素化合物の具体的な代表例としては、・・・γ−グリシドキシプロピルトリメトキシシラン、・・・またはその加水分解物がその例である。」（第５頁右下欄第１７行〜第７頁右上欄第７行）
（ｄ）「これらの有機ケイ素化合物はキュア温度を下げ、硬化をより進行させるためには加水分解して使用することが好ましい。加水分解は純水または塩酸、酢酸あるいは硫酸などの酸性水溶液を添加・撹拌することによって製造される。さらに、純水あるいは酸性水溶液の添加量を調節するることによって加水分解の度合をコントロールすることも容易に可能である。」（第７頁右上欄第１２〜１９行）
（ｅ）「本発明を適用する被コーティング物としては、本発明目的を必要とする場合には何でも良いのであるが、強固な接着性付与が可能であるという観点から、ガラス、熱硬化性樹脂、接着性付与が困難な熱可塑性樹脂がとくに有効な結果を与える。上記のプラスチック材料としては・・・ポリエステルとくにポリエチレンテレフタレート、・・・などが好ましい。」（第８頁左下欄第７行〜右下欄第３行）
（ｆ）「本発明複合膜の有用な応用法は本発明複合膜上に金属、無機酸化物などを蒸着などによって被覆し、・・。」（第８頁右下欄第１８〜２０行）
（ｇ）「（ａ）シラン加水分解物の調整　γ−グリシドキシプロピルメチルジエトキシシラン１０６．８ｇを１０℃に冷却し、撹拌しながら、０．０５規定塩酸水溶液１５．５ｇを徐々に滴下し、滴下終了後、室温にてさらに１時間撹拌をつづけてシラン加水分解物を得た。」（第９頁右上欄第１０〜第１５行）
（５）刊行物５：特開平３−７１８３２号公報（申立人の提出した甲第５号証）
（ａ）「プラスチックフィルムの両面に直接または下塗層を介して、珪素酸化物蒸着膜を設け、要すれば珪素酸化物蒸着膜面上に合成樹脂層を設けたことを特徴とする透明ハイバリヤープラスチックフイルム。」（請求項１）、
（ｂ）「本発明の透明ハイバリヤープラスチックフィルムの製造に用いるプラスチックフィルムとしては特に制限はないが、・・・ポリエチレンテレフタレート・・・などのフィルム状物またはシート状物が適宜用いられる。」（第２頁右下欄第２〜１０行）
（ｃ）「さらにまたプラスチックフィルムは、その表面に下塗層を設けたものであってもよく、下塗層を形成するための樹脂としては、例えば・・・ウレタン系樹脂・・・エポキシ系樹脂・・・などの単独または混合物や、シランカップリング剤が好ましく用いられる。」（第３頁左上欄第５〜１７行）
（６）刊行物６：特公昭６４−１０１８５号公報（申立人の提出した甲第７号証）
（ａ）「一方ポリエステル（以下ＰＥＳＴという）フィルムは・・・一般のＰＥＳＴフィルムは接着性が悪いので、フィルム表面に印刷加工、メタライズ加工、金属箔積層加工等の表面加工を施した場合、これらの表面加工層が前述の様な煮沸処理工程等で簡単に剥離するという問題があった。・・・本発明者等はこうした事情に着日し、ＰＥＳＴの有する本来の特性を損なうことなしに前述の様な表面加工材との接着性を改善し、優れた外観及び品質を有するＰＥＳＴ系包装用フィルムを開発しようとして種々研究を進めてきた。本発明はこうした研究の結果完成されたものであって、その構成とは、・・・高結晶性ＰＥＳＴよりなる基層（Ａ）の少なくとも片面に、・・・低結晶性共重合ＰＥＳＴ、・・・共重合ＰＥＳＴ、及び・・・高結晶性ＰＥＳＴ・・・を含有する混合物からなる接着性改善層（Ｂ）・・・を積層してなり、・・・積層フィルムの少なくとも片面に、印刷加工、メタライズ加工、金属箔積層加工等の表面加工が施される・・・に要旨を有するものである。本発明においては、・・・製袋作業等を極めてスムーズに行なうことができると共に、包装後は煮沸等の過酷な条件下においてもフィルム自体が積層界面で剥離したりシール部が剥離する様な恐れがなく、レトルト食品等の包装用フィルムとして極めて優れたものである。（第１頁第２欄第２０行〜第４欄第４４行）
（ｂ）「一方メタライズ加工を行なう場合、真空蒸着にあっては高真空下でアルミニウムや亜鉛等を加熱蒸着させ、発生した蒸気をフィルム表面に凝縮させて薄膜を形成するが、・・・また金属箔積層加工に用いられる金属箔としてはアルミニウム箔が最も一般的であり、・・・」（第７頁第１３欄第９〜２４行）、
（ｃ）「実験例１・・・得られた低結晶性共重合ＰＥＳＴ・・・を所定量ずつ袋に入れて混合し、接着層（Ｂ）の素材とした。一方基層（Ａ）の素材としては・・・積層高結晶性ＰＥＴを使用した。製膜には２台の押出機を用い、・・・一方の押出機には高結晶性ＰＥＴを、また他方の押出機には前記混合ペレットを夫々供給し、Ｔダイス内で積層しつつフィルム状に共押出しした後急冷して積層フィルムを得た。・・・このフィルムを周速の異なるロールによって縦方向に・・・延伸し、引続いてテンターで横方向に・・・延伸した後・・・」（第８頁第１６欄第２９行〜第９頁第１７欄第１６行）
（ｄ）「・・・２軸延伸積層ＰＥＳＴフィルムを得た。次いでこのフィルムの接着層（Ｂ）側表面に、厚み約０．０４μｍのアルミニウムを真空蒸着せしめた後」（第１２頁第２３欄第２〜４行）
４．対比・判断
（１）本件発明１について
 刊行物５には、上記（５）（ａ）から「プラスチックフィルムの両面に下塗層を介して、珪素酸化物蒸着膜を設けた透明ハイバリヤープラスチックフイルム。」が記載されていると云える。また、この「プラスチックフィルム」は、上記（５）（ｂ）から、ポリエチレンテレフタレートフィルムすなわち「ポリエステルフィルム」であり、下塗層は、上記（５）（ｃ）から「・・・ウレタン系樹脂・・・などの単独または混合物や、シランカップリング剤」であるから、この中からウレタン系樹脂、シランカップリング剤を選択して、これら記載を本件発明１の記載ぶりに則って整理すると、刊行物５には、
「ポリエステルフィルムの両面に、ウレタン系樹脂又はシランカップリング剤よりなる下塗層を設け、さらにその上に珪素酸化物蒸着膜を設けた透明ハイバリヤープラスチックフイルム」という発明（以下、刊行物５発明という）が記載されていると云える。
  そこで　本件発明１と刊行物５発明とを対比すると、刊行物５発明の「下塗層」、「珪素酸化物蒸着膜」及び「透明ハイバリヤープラスチックフィルム」は、本件発明１の「塗膜層」、「蒸着層」及び「蒸着ポリエステルフィルム」にそれぞれ相当するから、両者は、「ポリエステルフイルムの両面に、塗膜層を設け、さらにその上に蒸着層を設けてなることを特徴とする蒸着ポリエステルフイルム」の点で一致し、次の点で相違していると云える。
相違点：本件発明１では、塗膜層がポリウレタン樹脂とエポキシ基含有シランカップリング剤加水分解物とを主成分とする混合物より形成されているのに対して、刊行物５発明では、ウレタン系樹脂又はシランカップリング剤より形成されている点。
　次に、この相違点について検討すると、両者は、ポリエステルフィルムと蒸着層との密着性を良くするために「塗膜層」を形成した点では共通しているから、その具体的な材料の点について検討する。
　本件発明１は、塗膜層を「ポリウレタン樹脂とエポキシ基含有シランカップリング剤加水分解物の混合物」とするものである。「ポリウレタン樹脂」又は「シランカップリング剤」は、刊行物５発明でもその塗膜層の材料として使用されているとおり周知のものである。また、シランカップリング剤を「シランカップリング剤の加水分解物」として使用することも例えば刊行物４にみられる如く周知の事項であるから、本件発明１の上記相違点は、要するところ塗膜層の材料として個々に周知のポリウレタン樹脂、シランカップリング剤加水分解物を「ポリウレタン樹脂とエポキシ基含有シランカップリング剤加水分解物とを主成分とする混合物」の形で使用する点と云うことができるから、この観点でさらに検討すると、「ポリウレタン樹脂とエポキシ基含有シランカップリング剤」の混合物は、金属箔とポリエステルフィルムとの密着性を向上させる接着剤として例えば刊行物１〜３にみられるように本件出願前周知の事項である。
　してみると、「ポリウレタン樹脂とエポキシ基含有シランカップリング剤」の混合物も、密着性を良くするための材料として本件出願前に既に周知であり、かつ密着性という点では接着性のよい塗膜層を設けることが金属箔や蒸着層でも差異はなく行われているから（刊行物６、特公昭５４−２４４３５号公報（異議申立人の提出した甲第８号証）参照）、刊行物５発明の塗膜層を「ウレタン系樹脂又はシランカップリング剤」という材料に替えて、「ポリウレタン樹脂とエポキシ基含有シランカップリング剤加水分解物とを主成分とする混合物」とすることは、当業者が容易に想到することができたことと云うべきである。
　したがって、本件発明１は、刊行物５に記載の発明と上記周知の事項に基づいて当業者が容易に発明をすることができたものであるから、特許法第２９条第２項の規定により特許を受けることができないものである。
（２）本件発明４について
  本件発明４は、少なくとも請求項１を引用しさらに「ポリウレタン樹脂（Ａ）とエポキシ基含有化合物（Ｂ）との混合重量比率（Ａ）／（Ｂ）が１０００／１〜１／９９である」と限定したものであるが、刊行物１の上記（１）（ｆ）の記載、刊行物２の上記（２）（ｆ）の記載及び刊行物３の上記（３）（ｄ）の記載の各々に示された数値は、上記混合重量比率の数値範囲と重複するものであるから、本件発明４の「ポリウレタン樹脂（Ａ）とエポキシ基含有化合物（Ｂ）との混合重量比率（Ａ）／（Ｂ）が１０００／１〜１／９９である」点は、周知の事項である。
　したがって、本件発明４は、刊行物５に記載の発明と上記周知の事項に基づいて当業者が容易に発明をすることができたものであるから、特許法第２９条第２項の規定により特許を受けることができないものである。
（３）本件発明５について
　本件発明５は、少なくとも請求項１を引用しさらに「塗膜層が結晶配向完了前のポリエステルフイルムに塗布され、塗布、乾燥後少なくとも１方向に延伸、熱処理が施された層である」と限定したものであるが、金属を蒸着させたプラスチックフィルムを製造する際に、塗膜層を結晶配向完了前のフイルムに塗布し、少なくとも１方向に延伸した後蒸着することも周知の事項である（刊行物６の上記（６）（ｃ）参照）。
　したがって、本件発明５は、刊行物５に記載の発明と上記周知の事項に基づいて当業者が容易に発明をすることができたものであるから、特許法第２９条第２項の規定により特許を受けることができないものである。
（４）本件発明２及び本件発明３について
　本件発明２は、本件発明１を引用しさらにポリウレタン樹脂を「水性ポリウレタン樹脂」と限定したものであるが、刊行物１〜６には、この「水性ポリウレタン樹脂」については何ら示唆されていない。
　また、本件発明３も、少なくとも本件発明１を引用しさらにポリウレタン樹脂を「ブロックドイソシアネート基を含有する組成物」と限定したものであるが、刊行物１〜６には、この「ブロックドイソシアネート基を含有する組成物」については何ら示唆されていない。
　なお、異議申立人は、刊行物１の上記（１）（ｃ）、（ｇ）の記載、刊行物２の上記（２）（ｂ）、（ｃ）の記載及び刊行物３の上記（３）（ｃ）の記載から水性ポリウレタン樹脂が開示されている旨主張しているが、上記記載にはウレタン化反応前の原料やその分子量が記載されているだけであり、これら記載が「水性ポリウレタン樹脂」を示唆しているとまでは云えない。
　したがって、本件発明２及び３は、刊行物１〜６に記載された発明に基づいて当業者が容易に発明をすることができたものであるとすることはできない。
５．むすび
 以上のとおり、本件請求項１、４及び５に係る発明は、特許法第２９条第２項の規定により特許を受けることができないものであるから、本件請求項１、４及び５に係る発明についての特許は、拒絶の査定をしなければならない特許出願に対してされたものと認める。
　本件請求項２及び３に係る発明についての特許は、特許異議申立ての理由及び証拠方法によっては、取り消すことはできない。
　また、他に本件請求項２及び３に係る発明についての特許を取り消すべき理由を発見しない。
　したがって、本件請求項２及び３に係る発明の特許は拒絶の査定をしなければならない特許出願に対してされたものと認めない。
　よって、特許法等の一部を改正する法律（平成６年改正法）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年４月２４日（２００２．４．２４）